(57)【要約】【課題】ホストデバイスの負荷の増大等を抑えつつ、信号のエラーを検出することができる電子機器を提供すること。【解決手段】ディスプレイ処理部３０は、メインＣＰＵ７１からパケットを受信し、受信したデータを出力する高速シリアルインターフェース回路３１と、高速シリアルインターフェース回路３１から出力されたデータに基づいて、ディスプレイ２１を駆動するドライバ回路３２と、受信したデータの誤り検出を行う誤り検出部３３と、ドライバ回路３２の駆動によりディスプレイ２１に画像が表示される際のフレーム間隔を示すフレームパルス信号を生成するフレームパルス信号生成部３４と、誤り検出部３３により誤りが検出されたときに、フレームパルス信号に所定の変調を行うフレームパルス信号変調部３５と、変調後のフレームパルス信号をメインＣＰＵ７１に送信する送信部３６と、を備える。【選択図】図３
2009134021.tif 000002
【特許請求の範囲】
【請求項１】
信号線を介してホストデバイスからデータを受信するインターフェース手段と、
前記インターフェース手段から出力されたデータに基づいて、表示パネルを駆動する駆動手段と、
前記受信されたデータの誤り検出を行う誤り検出手段と、
前記駆動手段の駆動により前記表示パネルに画像が表示される際のフレーム間隔を示すフレームパルス信号を生成するフレームパルス信号生成手段と、
前記誤り検出手段により誤りが検出されたときに、前記フレームパルス信号に所定の変調を行うフレームパルス信号変調手段と、
前記フレームパルス信号変調手段により変調されたフレームパルス信号を前記ホストデバイスに送信する送信手段と、を備えることを特徴とする電子機器。
【請求項２】
前記ホストデバイスは、前記送信手段から送信されてきたフレームパルス信号に所定の変調が行われていたときに、前記インターフェース手段にデータの再送を行うことを特徴とする請求項１記載の電子機器。
【請求項３】
前記ホストデバイスは、前記インターフェース手段にデータの再送を行った後、前記変調されているフレームパルス信号を通常のフレームパルス信号に戻すコマンドを前記インターフェース手段に供給し、
前記送信手段は、変調されていないフレームパルス信号を前記ホストデバイスに送信することを特徴とする請求項２記載の電子機器。
【請求項４】
前記フレームパルス信号変調手段は、前記誤り検出手段により誤りが検出されたときに、前記フレームパルス信号のパルス幅を変調することを特徴とする請求項１記載の電子機器。
【請求項５】
前記フレームパルス信号変調手段は、前記誤り検出手段により誤りが検出されたときに、前記フレームパルス信号の周波数を変調することを特徴とする請求項１記載の電子機器。
【請求項６】
前記ホストデバイスは、所定の周期で前記送信手段から送信されてきたフレームパルス信号を検出することを特徴とする請求項１乃至３記載の電子機器。
【発明の詳細な説明】
【技術分野】
【０００１】
本発明は、ホストデバイスから送信される信号に応じて表示パネルに画像を表示する電子機器に関する。
【背景技術】
【０００２】
現在の携帯端末は、デザイン性及び機能性の向上等のため、キー操作を行うための操作部側筐体部と、メインＬＣＤ（Ｌｉｑｕｉｄ  Ｃｒｙｓｔａｌ  Ｄｉｓｐｌａｙ）等が設けられている表示部側筐体部とが、連結機構（ヒンジ部）を介して連結されており、操作部側筐体部の表面と表示部側筐体部の表面とを開閉自在に折りたたむことができる折りたたみ型や、操作部側筐体部と表示部側筐体部とを重ね合わせた状態から一方の筐体を一方向にスライドさせるようにしたスライド式や、操作部側筐体部と表示部側筐体部との重ね合せ方向に沿う軸線を中心に一方の筐体を回転させるようにした回転式（ターンタイプ）等がある。
【０００３】
また、操作部側筐体部は、主制御部であるメインＣＰＵ等が実装されている回路基板を有している。また、表示部側筐体部は、メインＬＣＤ等を駆動するためのドライバ回路等が実装されている回路基板を有している。
【０００４】
また、ヒンジ部を介して複数本の信号配線により操作部側筐体部の回路基板と表示部側筐体部の回路基板とが電気的に接続されている。また、近年では、メインＣＰＵからメインＬＣＤへの通信に高速シリアル通信が使われるようになっている。
【０００５】
ここで、ヒンジ部は、静電気等の電気ノイズの影響を受けやすい部分であるので、例えば、操作部側筐体部のメインＣＰＵから表示部側筐体部のメインＬＣＤを駆動するドライバ回路に信号配線を介してデータを供給する際に、ノイズの影響によりエラーが生じてしまうおそれがある。
【０００６】
従来では、このようなエラーを回避するために、１．メインＣＰＵが、表示部側筐体部の回路基板上に実装されているデバイスのレジスタに格納されているエラー検出結果をリードしに行く構成（以下、第１の構成という。）により、又は、２．エラー発生時に極性が変わるように構成されている表示部側筐体部の回路基板の専用端子をメインＣＰＵに戻しておき、ＧＰＩＯ（ｇｅｎｅｒａｌ  ｐｕｒｐｏｓｅ  ｉｎｐｕｔ  ｏｕｔｐｕｔ）入力によりエラーを読み取る構成（以下、第２の構成という。）により、エラーを検出し、データの再送やコマンドの再設定等を行ったり、又は単純に、着信の待ち受け時等においてメインＣＰＵがスリープ解除される条件に合わせ、エラー発生の有無を問わず一定時間毎にコマンドの再設定やデータの再送を行っている。
【０００７】
また、特許文献１には、画像データとコマンドデータの切り分けとして、同時に制御部から表示部へ出力される垂直同期信号や水平同期信号を変化させ、そのときに送信されているのが画像信号かコマンドデータかを表示部側が切り分けて認識し、コマンドデータのみをエラー検出にかける技術が提案されている。
【特許文献１】特開２０００−２５０５２６号公報
【発明の開示】
【発明が解決しようとする課題】
【０００８】
しかしながら、メインＣＰＵがエラー検出結果を表示部側筐体部の回路基板上のレジスタまでリードしに行くような第１の構成の場合には、メインＣＰＵの負荷が増大してしまい、また、それに伴う消費電流の増加を招いてしまう。
【０００９】
また、専用端子をメインＣＰＵに接続するような第２の構成の場合には、ヒンジ部を通る信号配線の数とコネクタピンの数が増加してしまい、コストアップが避けられない。
【００１０】
また、特許文献１によれば、ホスト側（メインＣＰＵ）からクライアント側（メインＬＣＤ）へ送信される同期信号によって画像信号とコマンドデータを切り分ける技術であって、メインＣＰＵの負荷の増大と、それに伴う消費電流の増加を避けることが困難である。
【００１１】
本発明では、上述のような課題に鑑みてなされたものであり、その目的の一つは、ホストデバイスの負荷の増大や消費電流の増加を抑えつつ、信号配線の増加を伴うことなく信号のエラーを検出することができる電子機器を提供することにある。
【課題を解決するための手段】
【００１２】
本発明に係る電子機器は、上記課題を解決するために、信号線を介してホストデバイスからデータを受信するインターフェース手段と、前記インターフェース手段から出力されたデータに基づいて、表示パネルを駆動する駆動手段と、前記受信されたデータの誤り検出を行う誤り検出手段と、前記駆動手段の駆動により前記表示パネルに画像が表示される際のフレーム間隔を示すフレームパルス信号を生成するフレームパルス信号生成手段と、前記誤り検出手段により誤りが検出されたときに、前記フレームパルス信号に所定の変調を行うフレームパルス信号変調手段と、前記フレームパルス信号変調手段により変調されたフレームパルス信号を前記ホストデバイスに送信する送信手段と、を備えることを特徴とする。
【００１３】
上記電子機器では、前記ホストデバイスは、前記送信手段から送信されてきたフレームパルス信号に所定の変調が行われていたときに、前記インターフェース手段にデータの再送を行うことが好ましい。
【００１４】
上記電子機器では、前記ホストデバイスは、前記インターフェース手段にデータの再送を行った後、前記変調されているフレームパルス信号を通常のフレームパルス信号に戻すコマンドを前記インターフェース手段に供給し、前記送信手段は、変調されていないフレームパルス信号を前記ホストデバイスに送信することが好ましい。
【００１５】
上記電子機器では、前記フレームパルス信号変調手段は、前記誤り検出手段により誤りが検出されたときに、前記フレームパルス信号のパルス幅を変調することが好ましい。
【００１６】
上記電子機器では、前記フレームパルス信号変調手段は、前記誤り検出手段により誤りが検出されたときに、前記フレームパルス信号の周波数を変調することが好ましい。
【００１７】
上記電子機器では、前記ホストデバイスは、所定の周期で前記送信手段から送信されてきたフレームパルス信号を検出することが好ましい。
【発明の効果】
【００１８】
本発明によれば、ホストデバイスの負荷の増大や消費電流の増加を抑えつつ、信号配線の増加を伴うことなく信号のエラーを検出することができる電子機器を提供することができる。
【発明を実施するための最良の形態】
【００１９】
以下、本発明の実施の形態について説明する。図１は、本発明に係る電子機器の一例である携帯電話装置１の外観斜視図を示す。なお、以下では、携帯電話装置について説明するが、本発明はこれに限定されるものではなく、撮像機能及び通信機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２０】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２１】
また、表示部側筐体部３は、表面部２０に、各種情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００２２】
また、撮像部２３は、撮像方向が表面部２０の表示面と垂直の方向になっているので、この携帯電話装置１を保持して操作する者がディスプレイ２１を正面から見たときに、撮像方向がその者の顔が位置する方向に向くようになっている。なお、撮像部２３は、表示部側筐体部３に設ける代わりに、操作部側筐体部２の表面部１０に設けるようにしても良く、このような場合にも撮像部２３の撮像方向は、この携帯電話装置１を保持して操作する者の顔が位置する方向に向くようしても良い。なお、本実施携帯では、撮像部２３は、必須の構成ではなく、撮像部２３を有さない携帯電話装置１としても良い。また、撮像部２３の撮像方向も特に限定するものではなく、内向き、外向き等の任意の方向を向くものとすることができる。
【００２３】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２４】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２５】
また、図２は、携帯電話装置１の機能を示す機能ブロック図である。携帯電話装置１は、図２に示すように、所定の情報を表示するディスプレイ２１と、被写体を撮像する撮像部２３と、ディスプレイ２１に画像を表示させる際に所定の処理を行うディスプレイ処理部３０と、音を外部に出力するスピーカ２４と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、外部メモリ１００が装着される装着部１０１と、を備えている。
【００２６】
通信部６０は、所定の使用周波数帯により外部装置と通信を行うメインアンテナ６１と、変調処理又は復調処理等の信号処理を行う通信処理部６２と、を備える。
【００２７】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００２８】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００２９】
電源回路部９０は、充電池８０から供給される電源電圧を所定の電圧値に変圧し、変圧後の電源電圧を通信部６０や処理部７０等に供給する。
【００３０】
装着部１０１は、所定の規格に準じた形状をなしており、当該所定の規格に準じた不揮発性の外部メモリ１００の装着を可能としている。また、処理部７０は、装着部１０１に装着された外部メモリ１００にデータを書き込んだり、また書き込まれているデータを読み出したりする。
【００３１】
また、本実施例では、外部メモリ１００は、複数のフォルダ（ディレクトリ）で構成されており、記憶されるデータの種類に応じて格納されるフォルダが異なるものとして説明するが、特にこの構成に限定されるものではない。
【００３２】
また、外部メモリ１００は、例えば、ＦＡＴ（ｆｉｌｅ  ａｌｌｏｃａｔｉｏｎ  ｔａｂｌｅ）によりデータの管理がされているものとして説明するが、特にこれに限定されるものではない。
【００３３】
また、処理部７０は、メインＣＰＵ７１を備えている。メインＣＰＵ７１は、ディスプレイ処理部３０や撮像部２３との間のデータ伝送を行うためのシリアルインターフェース規格に準拠した高速シリアルインターフェースを有しており、例えば、動画を伝送する際には、各コマの差分データのみを伝送するといった効率的な伝送を行うことができ、消費電力の低減を図ることができる。
【００３４】
ここで、ディスプレイ処理部３０とディスプレイ２１の構成と動作について詳述する。ディスプレイ処理部３０は、図３に示すように、高速シリアルバスＡを介して処理部７０に内蔵されているメインＣＰＵ７１（ホストデバイス）からパケットを受信し、受信したパケットに含まれるコマンド又は画像データを出力する高速シリアルインターフェース回路３１と、高速シリアルインターフェース回路３１から出力されたコマンド又は画像データに基づいて、ディスプレイ２１（表示パネル）を駆動するドライバ回路３２（駆動手段）と、受信したパケットの誤り検出を行う誤り検出部３３（誤り検出手段）と、ドライバ回路３２の駆動によりディスプレイ２１に画像が表示される際のフレーム間隔を示すフレームパルス信号を生成するフレームパルス信号生成部３４（フレームパルス信号生成手段）と、誤り検出部３３により誤りが検出されたときに、フレームパルス信号に所定の変調を行うフレームパルス信号変調部３５（フレームパルス信号変調手段）と、フレームパルス信号変調部３５により変調されたフレームパルス信号をメインＣＰＵ７１に送信する送信部３６（送信手段）と、を備える。また、ディスプレイ処理部３０は、画像用ＲＡＭ（以下、単にＶＲＡＭともいう。）３７が備えられている。
【００３５】
また、高速シリアルバスＡは、メインＣＰＵ７１から高速シリアルインターフェース回路３１にデータが伝送される不図示のデータ線Ａ１と、クロック信号が伝送される不図示のクロック線Ａ２とにより構成されている。また、送信部３６とメインＣＰＵ７１とは、フレームパルス信号線Ｂにより結線されている。
【００３６】
ここで、ディスプレイ２１の表示制御について説明する。本発明のように、ディスプレイ処理部３０にＶＲＡＭ３７を有する構成の場合には、メインＣＰＵ７１は、高速シリアルインターフェース回路３１を介してＶＲＡＭ３７に画像データを書き込む。ディスプレイ処理部３０は、所定のタイミングでＶＲＡＭ３７に書き込まれたデータを読み出し、ディスプレイ２１に出力する。ここで、メインＣＰＵ７１からＶＲＡＭ３７に画像データを書き込む速度と、ＶＲＡＭ３７から画像データを読み出す速度とにずれが生じていると、ディスプレイ２１に表示される画像に上下のずれが生じる現象（ティアリング）が生じる。
【００３７】
このティアリングを防止するために、ディスプレイ処理部３０は、ＶＲＡＭ３７からデータを読み出し、ディスプレイ２１に１フレーム分の画像を表示するタイミングを示す垂直同期信号（フレームパルス信号）をフレームパルス信号生成部３４で生成し、送信部３６からフレームパルス信号線Ｂを介してメインＣＰＵ７１に出力している。なお、フレームパルス信号生成部３４は、垂直同期信号のタイミングを少しずらしたパルス信号をフレームパルス信号として生成しても良い。
【００３８】
また、メインＣＰＵ７１は、ディスプレイ処理部３０から供給されたフレームパルス信号に基づいて、画像データの転送タイミングを図り、ディスプレイ処理部３０に画像データを送信することにより、ティアリングの発生を防止している。
【００３９】
また、本発明では、誤り検出部３３により受信したパケットに誤りを検出した場合、フレームパルス信号変調部３５において、フレームパルス信号に所定の変調を行い、フレームパルス信号線Ｂを介して、変調後のフレームパルス信号をメインＣＰＵ７１に通知する。
【００４０】
ここで、ディスプレイ処理部３０の動作について、図４に示すフローチャートを参照しながら説明する。
【００４１】
ステップＳ１において、ディスプレイ処理部３０は、誤り検出部３３により、高速シリアルインターフェース回路３１を介してメインＣＰＵ７１から供給されたパケットに誤りがあるか否かを判断する。パケットに誤りがあると判断した場合には、ステップＳ２に進む。
【００４２】
ステップＳ２において、ディスプレイ処理部３０は、フレームパルス信号変調部３５によりフレームパルス信号を変調する。
【００４３】
ステップＳ３において、ディスプレイ処理部３０は、ステップＳ２の工程により変調したフレームパルス信号を送信部３６によりメインＣＰＵ７１に送信する。
【００４４】
また、ディスプレイ処理部３０では、誤り検出部３３によりディスプレイ２１に画像を表示する際のパラメータ（輝度や表示位置等の設定値）の誤りを検出した場合には、その設定値を破棄するようにドライバ回路３２を制御するように構成されも良い。
【００４５】
また、メインＣＰＵ７１は、送信部３６から送信されてきたフレームパルス信号に所定の変調が行われていたときには、高速シリアルバスＡを介して、高速シリアルインターフェース回路３１にコマンド又はデータの再送を行う。このような構成によれば、誤り検出用の信号線を別途設ける必要がなく、また、メインＣＰＵ７１の負荷の増大や消費電流の増加を抑え、効率的にパケットの誤りをメインＣＰＵ７１に通知することができ、コマンドの再設定やデータの再送を行うことができる。
【００４６】
また、メインＣＰＵ７１は、例えば、携帯電話装置１の受信待ち受け時における待ち受け間隔（例えば、数ｍｓｅｃ間隔）に同期したタイミングでフレームパルス信号を監視しに行き、当該フレームパルス信号に所定の変調が行われていた場合には、エラーの発生を検出し、高速シリアルバスＡを介して、高速シリアルインターフェース回路３１に表示設定値のコマンドや画像データの再送を行い、表示画像の回復を行う。このような構成によれば、メインＣＰＵ７１による監視負担を軽減することができる。また、バースト誤りが発生した場合であっても、割り込み増大を防止し、メインＣＰＵ７１の負担を軽減することができる。
【００４７】
また、メインＣＰＵ７１は、高速シリアルインターフェース回路３１に対してパケットによりコマンド又はデータの再送を行った後、変調されているフレームパルス信号を通常のフレームパルス信号に戻すコマンドを高速シリアルインターフェース回路３１に供給する。送信部３６は、通常のフレームパルス信号に戻すコマンドに基づいて、変調されているフレームパルス信号を解除し、変調されていないフレームパルス信号をメインＣＰＵ７１に送信する。
【００４８】
具体的には、誤り検出部３３によりパケットに誤りを検出した場合には、エラーレジスタに書き込みが行われる。フレームパルス信号変調部３５は、エラーレジスタに書き込みが行われている場合に、フレームパルス信号に所定の変調を行う。
【００４９】
また、ディスプレイ処理部３０は、メインＣＰＵ７１から通常のフレームパルスに戻すコマンドが供給された場合、エラーレジスタの書き込みをクリアする。フレームパルス信号変調部３５は、エラーレジスタの書き込みがクリアされたことを確認し、フレームパルス信号に所定の変調を行う動作を終了する。エラーレジスタの書き込みがクリアされた後は、送信部３６は、通常のフレームパルス信号をメインＣＰＵ７１に供給する。
【００５０】
ここで、上述したメインＣＰＵ７１の動作について図５に示すフローチャートを参照しながら説明する。なお、ディスプレイ２１は、表示点灯中であるとする。
【００５１】
ステップＳ１１において、メインＣＰＵ７１は、エラー検出信号のポーリングを行う。ここで、ポーリングとは、複数の構成要素で連携動作する際に、送信要求又は処理要求がないか、一つ一つの構成要素に対して聞いて回る方式のことである。
【００５２】
ステップＳ１２において、メインＣＰＵ７１は、エラー検出したか否かを判断する。メインＣＰＵ７１は、所定のタイミング（例えば、携帯電話装置１の受信待ち受け時における待ち受け間隔（例えば、数ｍｓｅｃ間隔）に同期したタイミング）でディスプレイ処理部３０から送信されるフレームパルス信号を確認し、当該フレームパルス信号にエラー検出信号が含まれているか否かを判断する。エラー検出信号が含まれていると判断した場合には、ステップＳ１３に進み、エラー検出信号が含まれていないと判断した場合には、処理を終了する。
【００５３】
ステップＳ１３において、メインＣＰＵ７１は、表示設定値の再設定のコマンドや画像データの再送を行う。
【００５４】
ここで、フレームパルス信号変調部３５によるフレームパルス信号の具体的な変調例について説明する。なお、図６（ａ）は、基本となるフレームパルス信号の波形図を示し、図６（ｂ）には、第１の変調方法による変調後のフレームパルス信号の波形図を示し、図６（ｃ）、（ｄ）には、第２の変調方法による変調後のフレームパルス信号の波形図を示す。
【００５５】
フレームパルス信号変調部３５は、例えば、図６（ｂ）に示すように、誤り検出部３３により誤りが検出されたときに、フレームパルス信号のパルス幅を変調する。なお、パルス幅は、基本のフレームパルス信号の幅よりも広くしても良いし、狭くしても良い。
【００５６】
また、フレームパルス信号変調部３５は、図６（ｃ）、（ｄ）に示すように、誤り検出部３３により誤りが検出されたときに、フレームパルス信号の周波数を変調する。なお、周波数は、基本となるフレームパルス信号の周波数よりも高周波数でも良いし（図６（ｃ））、低周波数でも良い（図６（ｄ））。
【００５７】
このようにして、本発明に係る携帯電話装置１では、誤り検出部３３によってパケットの誤りを検出したときに、フレームパルス信号に対して所定の変調を行い、変調後のフレームパルス信号をフレームパルス信号線Ｂを介してメインＣＰＵ７１に供給し、メインＣＰＵ７１からコマンドの再設定やデータの再送が行われるので、誤り検出用の信号線を別途設ける必要がなく、また、メインＣＰＵ７１の負荷の増大や消費電流の増加を抑え、効率的にパケットの誤りをメインＣＰＵ７１に通知することができ、コマンドの再設定やデータの再送を行うことができる。
【図面の簡単な説明】
【００５８】
【図１】本発明に係る携帯電話装置の外観を示す斜視図である。
【図２】本発明に係る携帯電話装置の機能を示すブロック図である。
【図３】本発明に係る携帯電話装置に備えられているディスプレイ処理部の機能を示すブロック図である。
【図４】ディスプレイ処理部の動作についての説明に供するフローチャートである。
【図５】メインＣＰＵの動作についての説明に供するフローチャートである。
【図６】フレームパルス信号変調部によりフレームパルス信号が変調されたときの様子を示す波形図である。
【符号の説明】
【００５９】
１  携帯電話装置
２１  ディスプレイ（表示パネル）
３０  ディスプレイ処理部
３１  高速シリアルインターフェース回路
３２  ドライバ回路（駆動手段）
３３  誤り検出部（誤り検出手段）
３４  フレームパルス信号生成部（フレームパルス信号生成手段）
３５  フレームパルス信号変調部（フレームパルス信号変調手段）
３６  送信部（送信手段）
３７  画像用ＲＡＭ
７０  処理部
７１  メインＣＰＵ（ホストデバイス）
Ａ  高速シリアルバス
Ｂ  フレームパルス信号線
【図１】
2009134021.tif 000003
【図２】
2009134021.tif 000004
【図３】
2009134021.tif 000005
【図４】
2009134021.tif 000006
【図５】
2009134021.tif 000007
【図６】
2009134021.tif 000008